(57)【要約】      （修正有）【課題】ＥｘｐｒｅｓｓＣａｒｄ規格に対応するＰＣカードケース装置の提供。【解決手段】ＥｘｐｒｅｓｓＣａｒｄ規格に対応するＰＣカードケース装置であり、ノートブック型コンピュータ拡充用の軽薄短小な携帯式ハードウエア装置であり、メモリとして或いは各種の異なる媒体を実行する装置のケースとされ、コネクタケース10、端子20、フレーム主体30、下カバー40、上カバー50で組成されたＰＣカードケース装置において、下カバーの係止孔がフレーム主体内側両辺の係止部に係合され、並びに上カバー両側が下向きに折り曲げられたＵ形フックとされて、フレーム主体両側の係止溝内に係合され、組立に便利であり、端子が一度で取付完成でき並びに切断しやすい構造とされ、生産効率と歩留りを高められるよう形成されている。【選択図】図１
0003103407.tif 000002
【実用新案登録請求の範囲】
【請求項１】
コネクタケース、端子、フレーム主体、下カバー、上カバーで組成され、
該コネクタケースは、中央を端子溝が貫通し、左右両外側に位置決め部が設けられ、後方両側に係止溝が設けられ、
該端子は、前段の端子本体と後段の連接部を具え、端子本体の後方に下向きに折り曲げられた端子ピンがあり、端子本体と連接部の連接部分に切断しやすい構造が設けられ、連接部の金属上方に開口が下向きの二つのＶ形切欠きが設けられ、
該フレーム主体は平面視でＵ形を呈し、前端開口部分にロッドが設けられて左右両辺のサポートフレームが接続され、左右両辺のサポートフレームの前端に位置決め係止溝が設けられ、内縁に複数の対称な係止部が設けられ、左右両辺のサポートフレームの外側壁に対称な係止溝が設けられ、前端より後端に延伸され、フレーム主体上方の後端に長方形の凹溝が設けられ、
該下カバーは、その両側及び後端にフレーム主体の係止部に対応しそれと係合する複数の上向きの対称な係止孔が設けられ、
該上カバーは、前端にコネクタケース両側の係止溝に係合するフックが設けられ、両側に下向きに折り曲げられたＵ形フックが設けられ、且つ後端に下向きに折り曲げられた折れ板が設けられたことを特徴とする、エクスプレスカード規格のＰＣカードケース装置。
【請求項２】
請求項１記載のエクスプレスカード規格のＰＣカードケース装置において、フレーム主体がダイキャスティングで形成されたことを特徴とする、エクスプレスカード規格のＰＣカードケース装置。
【請求項３】
請求項１記載のエクスプレスカード規格のＰＣカードケース装置において、コネクタケースの後端に方形の係止ブロックが設けられたことを特徴とする、エクスプレスカード規格のＰＣカードケース装置。
【請求項４】
請求項１記載のエクスプレスカード規格のＰＣカードケース装置において、フレーム主体の位置決め係止溝に方形の係止溝が設けられたことを特徴とする、エクスプレスカード規格のＰＣカードケース装置。
【考案の詳細な説明】
【技術分野】
【０００１】
本考案はＰＣカードケース装置、特に、ＥｘｐｒｅｓｓＣａｒｄ規格に対応するＰＣカードケース装置であり、ノートブック型コンピュータ拡充用の軽薄短小な携帯式ハードウエア装置であり、メモリとして或いは各種の異なる媒体を実行する装置のケースとされ、コネクタケース、端子、フレーム主体、下カバー、上カバーで組成されたＰＣカードケース装置に関する。
【背景技術】
【０００２】
コンピュータ工業は日進月歩であり、加えて市場の消費の要求により、それまでのＰＣＭＣＩＡ規格に代わる新たなＥｘｐｒｅｓｓＣａｒｄ規格が策定され、新たな携帯装置のケース構造の製作が必要となった。
【考案の開示】
【考案が解決しようとする課題】
【０００３】
本考案の主要な目的は、組立に便利で構造が強固なエクスプレスカード規格のＰＣカードケース装置を提供することにあり、それは上カバーと下カバー及びフレーム本体の脱落を防止した装置であるものとする。
【０００４】
本考案の次の目的は、端子を一度に取付完成でき並びに切断しやすく、端子取付時間を減少できるエクスプレスカード規格のＰＣカードケース装置を提供することにある。
【課題を解決するための手段】
【０００５】
請求項１の考案は、コネクタケース、端子、フレーム主体、下カバー、上カバーで組成され、
該コネクタケースは、中央を端子溝が貫通し、左右両外側に位置決め部が設けられ、後方両側に係止溝が設けられ、
該端子は、前段の端子本体と後段の連接部を具え、端子本体の後方に下向きに折り曲げられた端子ピンがあり、端子本体と連接部の連接部分に切断しやすい構造が設けられ、連接部の金属上方に開口が下向きの二つのＶ形切欠きが設けられ、
該フレーム主体は平面視でＵ形を呈し、前端開口部分にロッドが設けられて左右両辺のサポートフレームが接続され、左右両辺のサポートフレームの前端に位置決め係止溝が設けられ、内縁に複数の対称な係止部が設けられ、左右両辺のサポートフレームの外側壁に対称な係止溝が設けられ、前端より後端に延伸され、フレーム主体上方の後端に長方形の凹溝が設けられ、
該下カバーは、その両側及び後端にフレーム主体の係止部に対応しそれと係合する複数の上向きの対称な係止孔が設けられ、
該上カバーは、前端にコネクタケース両側の係止溝に係合するフックが設けられ、両側に下向きに折り曲げられたＵ形フックが設けられ、且つ後端に下向きに折り曲げられた折れ板が設けられたことを特徴とする、エクスプレスカード規格のＰＣカードケース装置としている。
請求項２の考案は、請求項１記載のエクスプレスカード規格のＰＣカードケース装置において、フレーム主体がダイキャスティングで形成されたことを特徴とする、エクスプレスカード規格のＰＣカードケース装置としている。
請求項３の考案は、請求項１記載のエクスプレスカード規格のＰＣカードケース装置において、コネクタケースの後端に方形の係止ブロックが設けられたことを特徴とする、エクスプレスカード規格のＰＣカードケース装置としている。
請求項４の考案は、請求項１記載のエクスプレスカード規格のＰＣカードケース装置において、フレーム主体の位置決め係止溝に方形の係止溝が設けられたことを特徴とする、エクスプレスカード規格のＰＣカードケース装置としている。
【考案の効果】
【０００６】
本考案は以下の効果を有する。
１．Ｕ形フックがフレーム主体両側の係止溝内との係合が快速に行なえ便利である。
２．端子本体と連接部中央に切断しやすい構造が設けられ、端子がコネクタケース後方の端子孔より挿入された後、それを切断して端子本体をコネクタケース内に保留でき、取付時間を加速できる。
３．コネクタケースの左右両外側の位置決め部がフレーム主体の位置決め凹溝に挿入され、コネクタケースが正確にフレーム主体内に取付られる。
４．位置決め部の方形の係止ブロックが位置決め凹溝内の方形の係止溝内に係合し、固定時の脱落を防止する。
５．コネクタケース前端のフックがコネクタケース両側の係止溝内に係合されて上カバーの前方からの起き上がりを防止できる。
総合すると、本考案のエクスプレスカード規格のＰＣカードケース装置は確実に取付に便利な機能を達成し、実用性と進歩性を具えている。
【考案を実施するための最良の形態】
【０００７】
本考案は、コネクタケース、端子、フレーム主体、下カバー、上カバーで組成され、下カバーの両側に対称に、複数の係止孔が設けられ、該係止孔がフレーム主体内側に対応設置された係止部に係合され、且つ上カバー両側が対称に下向きに折り曲げられたＵ形フックとされて、フレーム主体両側の係止溝内に係合され、組立が完成する。端子はエクスプレスカード規格に符合する形式に形成され、且つ切断しやすいコネクトピン構造を有して一度で取付が完成し、コネクタケース後方の端子孔より挿入され、並びに端子前端の本体と後方の連接部が切断、分離された後、端子本体下方の端子ピンがプリント基板上に接合される。
【０００８】
以上の構造により、コネクタケース前端に位置決め部が設けられてフレーム本体の位置決め係止溝内に対応して挿入され、且つフレーム主体内側両辺の係止部と下カバー両側の係止孔、及び上カバー両側の下向きに折り曲げられたＵ形フックとフレーム主体両側の対応する係止溝の相互結合固定により、全体のＰＣカードの取付に便利とされ、並びに上カバー、下カバーとフレーム主体の脱落の状況を防止できる。エクスプレスカード規格に符合する端子は、一度で取付完成し且つ切断しやすいコネクタピン構造とされ、コネクタケース後方の端子孔より挿入され、並びに端子前端の本体と後方の連接部が切断、分離された後、端子本体下方の端子ピンがプリント基板に接合され、こうして端子取付の時間を減らすことができる。
【実施例１】
【０００９】
図１、２に示されるように、本考案のエクスプレスカード規格のＰＣカードケース装置は、コネクタケース１０、端子２０、フレーム主体３０、下カバー４０、上カバー５０で組成されている。
【００１０】
該コネクタケース１０は、プラスチック射出一体成形で形成された長方形ケース体とされ、中央を端子溝１１が貫通し、前端にコンピュータのプラグと接続できる開口１２が設けられ、コネクタケースの左右両外側に位置決め部１３が設けられ、位置決め部の後端に方形の係止ブロック１３ａが設けられ、フレーム主体３０の方形の係止ブロック１３ａ内に対応し係合し、コネクタケース後方両側に係止溝１４が設けられている。
【００１１】
該端子２０は、金属で形成され、前段の端子本体２１と後段の連接部２２を具え、端子本体２１の後方に下向きに折り曲げられた端子ピン１２ａがあり、端子本体２１と連接部２２の連接部分に切断しやすい構造２３が設けられ、連接部２２の金属上方に二つの開口が下向きのＶ形切欠き２３ａが設けられ、且つ小部分の金属が保留されて後端の連接部２２に接続されている。
【００１２】
該フレーム主体３０はダイキャスティング或いはプラスチック射出一体成形で形成され、上方から見てＵ字形を呈し、並びに前端開口部分にロッド３１ａが設けられて左右両辺のサポートフレーム３１が接続され、左右両辺のサポートフレーム３１の前端に位置決め係止溝３１ｂが設けられ、位置決め係止溝３１ｂに方形の係止溝３１ｂ１が設けられ、フレーム主体３０内縁に複数の対称な係止部３１ｃが設けられ、左右両辺のサポートフレームの外側壁に対称な係止溝３１ｄが設けられ、前端より後端に延伸され、フレーム主体３０上方の後端に長方形の凹溝３１ｅが設けられている。
【００１３】
該下カバー４０は、金属が裁断、曲げ加工されてなる板材とされ、その両側及び後端に複数の上向きの対称な係止孔４１が設けられ、フレーム主体３０の係止部３１ｂに対応しそれと係合する。
【００１４】
該上カバー５０は、金属を裁断し曲げ加工してなる板材とされ、前端にコネクタケース両側の係止溝と係合するフック５１が設けられ、両側縁に下向きに折り曲げられたＵ形フック５２が設けられ、且つ後端に下向きに折り曲げられた折れ板５３が設けられ、フレーム主体３０の長方形の凹溝３１ｅ内に対応し係合する。
【００１５】
以上の構造が組み立てられる時、まず、端子２０がコネクタケース１０後方の端子溝１１より挿入され、並びに端子２０前端の端子本体２１と後方の連接部２２が切断され、端子本体２１下方の端子ピン２１ａがプリント基板２に接合され、フレーム主体３０内側両辺の係止部３１ｂが、下カバー４０両側の係止孔４１と係合し、コネクタケース１０とプリント基板２がフレーム主体３０内に挿入され、コネクタケース１０前端の位置決め部１３がフレーム主体３０の位置決め係止溝３１ａ内に対応し挿入され、さらに上カバー３０後方の折れ板５３がフレーム主体３０の長方形の凹溝３１内に挿入され、並びに上カバー５０両側のＵ形フック５２がフレーム主体３０両側の係止溝３１ｄ内に係合され、こうして組立が完成する。
【００１６】
図３は本考案の下カバー４０とフレーム主体３０の結合表示図である。フレーム主体３０内側両辺の係止部３１ｂは下カバー４０両側の係止孔４１と係合する。
図４は本考案のコネクタケースがフレーム主体に取り付けられた組合せ表示図である。コネクタケース１０前端の位置決め部１３はフレーム主体３０の位置決め係止溝３１ｂ内に挿入され、且つ方形の係止ブロック１３ａが方形の係止溝３１ｂ１内に係合する。
【００１７】
図５は本考案の上カバーとフレーム主体の組合せ表示図である。上カバー５０両側のＵ形フック５２はフレーム主体３０両側の係止溝３１ｄ内に係合する。
【００１８】
図６は本考案の別の実施例の立体分解図である。そのうち、上カバー５０、下カバー４０及びフレーム主体３０は新しいエクスプレスカード規格に合わせて別の形状とされている。
【図面の簡単な説明】
【００１９】
【図１】本考案の立体分解図である。
【図２】本考案の立体組合せ図である。
【図３】本考案の下カバーとフレーム主体の結合表示図である。
【図４】本考案のコネクタケースがフレーム主体に取り付けられた組合せ表示図である。
【図５】本考案の上カバーとフレーム主体の組合せ表示図である。
【図６】本考案の別の実施例の立体分解図である。
【符号の説明】
【００２０】
１０  コネクタケース              ２０  端子
３０  フレーム主体                ４０  下カバー
５０  上カバー                    １１  端子溝
１２  開口                        １３  位置決め部
１３ａ  係止ブロック              １４  係止溝
２１  端子本体                    ２１ａ  端子ピン
２２  連接部                      ２３  切断しやすい構造
２３ａ  Ｖ形切欠き                ３１  サポートフレーム
３１ａ  ロッド                    ３１ｂ  位置決め係止溝
３１ｂ１  係止溝                  ３１ｅ  凹溝
４１  係止孔                      ５１  フック
５２  Ｕ形フック                  ５３  折れ板
【図１】
0003103407.tif 000003
【図２】
0003103407.tif 000004
【図３】
0003103407.tif 000005
【図４】
0003103407.tif 000006
【図５】
0003103407.tif 000007
【図６】
0003103407.tif 000008